【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
カラー画像内のカラー輪郭要素（セル）を特定するための方法であって、
カラー画像を提供し、
該カラー画像を縮小して複数の色集団を含む縮小画像を生成し、
該複数の色集団の隣接する色集団の間の境界であって、各々が２つの色集団によって囲まれた複数の境界セグメントを含む境界を特定し、
かつ境界セグメント毎に、少なくとも一部において、該境界セグメントを囲む２つの色集団に基づいて該境界セグメントに、各色集団を物質又は物質の組合せに関連づけるための値を割り当てることを含む方法。
【請求項２】
請求項１に記載の方法であって、該カラー画像は２４ビットカラー画像を含む方法。
【請求項３】
請求項１に記載の方法であって、該縮小画像は３ビット画像を含む方法。
【請求項４】
請求項１に記載の方法であって、前記特定ステップは一画素の精度で境界を特定することを含む方法。
【請求項５】
請求項１に記載の方法であって、前記特定ステップは一画素未満の精度で境界を特定することを含む方法。
【請求項６】
請求項１に記載の方法であって、各々の前記境界セグメントは第１の側および第２の側を有し、
前記割当ステップは、少なくとも一部において、前記境界セグメントの該第１の側の色集団、および前記境界セグメントの該第２の側の色集団に基づいて値を割り当てることを含む方法。
【請求項７】
請求項１から６のいずれかに記載の方法であって、該カラー画像はパターン化された物体の画像を含む方法。
【請求項８】
請求項７に記載の方法であって、該パターン化された物体は電気回路を含む方法。
【請求項９】
物体の検査に適し、
物体の少なくとも一部の多色画像出力を提供する少なくとも１つのディテクタと、
前記多色画像出力を受領し、色が異なる領域間の境界を区別するのに有効なサブピクセルの精度でのエッジ検出を提供する処理回路とを含む自動光学検査装置であって、
前記処理回路は、
前記第１のカラー領域と前記第２のカラー領域の境界についてのおよその境界位置を特定し、さらに前記第１の色集団と前記第２の色集団の間の境界の位置の識別に適した方法を用いることにより、前記第１のカラー領域と前記第２のカラー領域の境界の位置を決定することによって、
第１の色集団に関連する第１のカラー領域と第２の色集団に関連する第２のカラー領域との間の境界を識別する機能を有する、装置。
【請求項１０】
請求項９に記載の自動光学検査装置であって、
前記多色画像出力は、複数のカラー規定特性を有するカラー画像表現方法を用いて表現されるカラー画像を含み、
各々の前記好ましい方法は複数の利用可能な方法から選択され、
該複数の利用可能な方法は、該複数のカラー規定特性のうちのカラー規定特性毎に、前記カラー規定特性に関連するカラー画像の成分においてエッジ位置特定方法を実行することを含む方法を含む装置。
【請求項１１】
請求項１０に記載の自動光学検査装置であって、該エッジ位置特定方法は、サブピクセル輪郭要素位置特定方法を含む装置。
【請求項１２】
物体の検査に適し、
各々が少なくともディテクタにより検出可能な光学特性によって区別される少なくとも３つの異なる領域を有する物体の少なくとも一部の画像出力を提供する少なくとも１つの前記ディテクタと、
前記画像出力を受領し、前記少なくとも３つの異なる領域のうちの少なくとも２つの領域の境界を区別するのに有効なサブピクセルの精度でのエッジ検出を提供する処理回路とを含む自動光学検査装置。
【請求項１３】
請求項１２に記載の自動光学検査装置であって、
前記処理回路は、前記画像出力を受領し、前記少なくとも３つの異なる領域の境界を区別するのに有効なサブピクセルの精度でのエッジ検出を提供する装置。
【請求項１４】
請求項１２に記載の自動光学検査装置であって、
前記処理回路は、共通の境界を有する異なる領域の各々における物質を識別する、
前記画像出力に少なくとも部分的に基づいたマッピングを提供する装置。
【請求項１５】
物体の検査に適した自動光学検査装置であって、
検出可能なエッジを有する少なくとも三種類の物質を含むパターン化された物体の少なくとも一部の画像出力を提供する少なくとも１つのディテクタと、
前記画像出力を受領し、該画像出力を二値化して、領域画像データおよび境界画像データを含む２値画像を与えることを含む検査機能を提供する処理回路とを含む自動光学検査装置。
【請求項１６】
請求項１５に記載の自動光学検査装置であって、前記パターン化された物体は電気回路を含む装置。
【請求項１７】
請求項１６に記載の自動光学検査装置であって、前記電気回路はプリント回路基板を含む装置。
【請求項１８】
請求項１７に記載の自動光学検査装置であって、前記プリント回路基板はボールグリッドアレイ基板を含む装置。
【請求項１９】
請求項１６に記載の自動光学検査装置であって、前記パターン化された物体はリードフレームを含む装置。
【請求項２０】
請求項１６に記載の自動光学検査装置であって、前記パターン化された物体は触刻金属基板を含む装置。
【請求項２１】
請求項１６に記載の自動光学検査装置であって、前記パターン化された物体は彫刻金属基板を含む装置。
【請求項２２】
物体を検査するための方法であって、
少なくとも物体の一部の多色画像出力を提供し、
かつ前記多色画像出力を受領し、色が異なる領域間の境界を区別するのに有効なサブピクセルの精度でのエッジ検出を与えることを含む方法。
【請求項２３】
物体を検査するための方法であって、
少なくとも光学特性によって各々が区別される少なくとも３つの異なる領域を有する物体の少なくとも一部の画像出力を提供し、
かつ前記画像出力を受領し、前記少なくとも３つの異なる領域のうちの少なくとも２つの領域の境界を区別するのに有効なサブピクセルの精度でのエッジ検出を与えることを含む方法。
【請求項２４】
パターン化された物体を検査するための方法であって、
検出可能なエッジを有する少なくとも三種類の物質を含むパターン化された物体の少なくとも一部の画像出力を提供し、
かつ前記画像出力を受領し、該画像出力を二値化して領域画像データおよび境界画像データを含む２値画像を提供することを含む検査機能を提供することを含む方法。
【手続補正２】
【補正対象書類名】明細書
【補正対象項目名】００５２
【補正方法】変更
【補正の内容】
【００５２】
本発明の他の好ましい実施形態によれば、カラー画像内のカラー輪郭要素（セル）を特定するための方法であって、カラー画像を提供し、該カラー画像を縮小して複数の色集団を含む縮小画像を生成し、該複数の色集団の隣接する色集団の間の境界であって、各々が２つの色集団によって囲まれた複数の境界セグメントを含む境界を特定し、かつ境界セグメント毎に、少なくとも一部において、該境界セグメントを囲む２つの色集団に基づいて該境界セグメントに、各色集団を物質又は物質の組合せに関連づけるための値を割り当てることを含む方法が提供される。
【手続補正３】
【補正対象書類名】明細書
【補正対象項目名】０１１５
【補正方法】変更
【補正の内容】
【０１１５】
さらに、本発明の好ましい実施形態によれば、該処理回路は、前記第１のカラー領域と前記第２のカラー領域の境界についてのおよその境界位置を特定し、さらに前記第１の色集団と前記第２の色集団の間の境界の位置の識別に適した方法を用いることにより、前記第１のカラー領域と前記第２のカラー領域の境界の位置を決定することによって、第１の色集団に関連する第１のカラー領域と第２の色集団に関連する第２のカラー領域との間の境界を識別する機能を有する。